(57)【要約】      （修正有）【課題】プラグイン式の光送受信器を通信装置に接続した場合の入力信号の波形劣化を改善する。【解決手段】光送受信器１は、光信号を受信する光受信部３と、プラグインコネクタ部１２を介して通信装置１１に接続されるカードエッジプラグ部５とを有する。光受信部３は、光信号を電気信号に変換し、電気信号を通信装置１１へ向けて出力する。光受信部３は、電気信号に含まれるデータの品質を示す品質情報に基づく制御パラメータを用いて電気信号の波形を調整する。【選択図】図１
2018170652.tif 000002
【特許請求の範囲】
【請求項１】
通信装置に接続される光送受信器であって、
光信号を受信し、前記光信号を電気信号に変換し、前記電気信号を前記通信装置へ向けて出力する光受信部と、
前記通信装置に接続されるコネクタと
を備え、
前記光受信部は、前記電気信号に含まれるデータの品質を示す品質情報に基づく第１の制御パラメータを用いて前記電気信号の波形を調整する
ことを特徴とする光送受信器。
【請求項２】
前記第１の制御パラメータは、前記電気信号の周波数の最小値を示すことを特徴とする請求項１に記載の光送受信器。
【請求項３】
前記光受信部は、前記電気信号の周波数の最小値を調整することにより前記光受信部における前記周波数帯域を調整することを特徴とする請求項１又は２に記載の光送受信器。
【請求項４】
前記光受信部は、前記品質情報に基づく第２の制御パラメータを用いて前記電気信号の振幅値を調整することを特徴とする請求項１から３のいずれか１項に記載の光送受信器。
【請求項５】
前記第２の制御パラメータは、前記電気信号の振幅値の最大値を示すことを特徴とする請求項４に記載の光送受信器。
【請求項６】
前記品質情報は、前記データのエラー検出数を示すエラー検出カウント及び前記データのエラー検出訂正数を示すエラー訂正カウントの少なくとも一方であることを特徴とする請求項１から５のいずれか１項に記載の光送受信器。
【請求項７】
前記光受信部は、前記エラー検出カウント及び前記エラー訂正カウントの少なくとも一方が小さくなるように前記電気信号の周波数の最小値を調整することを特徴とする請求項６に記載の光送受信器。
【請求項８】
前記光受信部は、前記エラー検出カウント及び前記エラー訂正カウントの少なくとも一方が小さくなるように前記電気信号の振幅値の最大値を調整することを特徴とする請求項６又は７に記載の光送受信器。
【請求項９】
プラグインコネクタ部と、
前記プラグインコネクタ部に接続された光送受信器と、
前記光送受信器から受信した信号を転送する回線終端部と
を備え、
前記光送受信器は、
光信号を受信し、前記光信号を電気信号に変換し、前記電気信号を前記回線終端部へ向けて出力する光受信部と、
前記プラグインコネクタ部に接続されるコネクタと
を有し、
前記光送受信器は、前記電気信号に含まれるデータの品質を示す品質情報に基づく制御パラメータを用いて前記電気信号の波形を調整する
ことを特徴とする通信装置。
【請求項１０】
光信号を電気信号に変換する光送受信器と回線終端装置とを備えた通信装置における信号調整方法であって、
前記電気信号の波形を変化させながら前記電気信号に含まれるデータの品質を示す品質情報を取得するステップと、
前記品質情報の変化について判定するステップと、
前記電気信号の波形を調整するための制御パラメータを、前記品質情報の変化に基づいて生成するステップと
を備えることを特徴とする信号調整方法。
【請求項１１】
光信号を電気信号に変換する光送受信器と回線終端装置とを備えた通信装置における処理をコンピュータに実行させるためのプログラムであって、
前記電気信号の波形を変化させながら前記電気信号に含まれるデータの品質を示す品質情報を取得するステップと、
前記品質情報の変化について判定するステップと、
前記電気信号の波形を調整するための制御パラメータを、前記品質情報の変化に基づいて生成するステップと
を前記コンピュータに実行させるためのプログラム。
【発明の詳細な説明】
【技術分野】
【０００１】
本発明は、光信号を受信する光送受信器及びこの光送受信器と共に用いる通信装置に関する。
【背景技術】
【０００２】
一般に、光信号を受信し、その光信号を電気信号に変換する光送受信器が用いられている。この光送受信器は、ＦＴＴＨ（Ｆｉｂｅｒ  Ｔｏ  Ｔｈｅ  Ｈｏｍｅ）等のデータ通信サービスを実現するために用いられる光回線終端装置を備えた通信装置に組み込まれる。光信号から電気信号に変換された信号は、光送受信器から通信装置に転送され、さらに、通信装置内の回線終端装置から上位ネットワーク又は下位ネットワークに転送される。
【０００３】
光送受信器を備えた通信装置における入力信号の受信感度を改善するため、入力信号の波形を補正する方法が提案されている（例えば、特許文献１）。特許文献１では、信号の波形特性を改善する技術であるエンファシス機能を用いて、入力信号の波形の補正を行う方法が提案されている。これにより、通信装置から上位ネットワーク又は下位ネットワークに転送される信号の品質を改善することができる。
【先行技術文献】
【特許文献】
【０００４】
【特許文献１】特許第５８５９１６８号公報
【発明の概要】
【発明が解決しようとする課題】
【０００５】
近年、小型化、低コスト化、及び高信頼化を目的として、プラグイン式の光送受信器が主流になっている。しかしながら、従来の技術では、入力信号の波形の補正を行うための補正強度（エンファシス量）が、光送受信器において予め定められた値に固定されている。そのため、プラグイン式の光送受信器が接続された通信装置では、光送受信器の特性と通信装置の特性との組み合わせによっては、波形の補正が十分に行われず、信号の品質が十分に改善されないという問題がある。
【０００６】
本発明の目的は、プラグイン式の光送受信器を通信装置に接続した場合の入力信号の波形劣化を改善することである。
【課題を解決するための手段】
【０００７】
本発明の光送受信器は、通信装置に接続される光送受信器であって、光信号を受信し、前記光信号を電気信号に変換し、前記電気信号を前記通信装置へ向けて出力する光受信部と、前記通信装置に接続されるコネクタとを備え、前記光受信部は、前記電気信号に含まれるデータの品質を示す品質情報に基づく第１の制御パラメータを用いて前記電気信号の波形を調整することを特徴とする。
【発明の効果】
【０００８】
本発明によれば、プラグイン式の光送受信器を通信装置に接続した場合の入力信号の波形劣化を改善することができる。
【図面の簡単な説明】
【０００９】
【図１】本発明の実施の形態に係る光送受信器及びこの光送受信器と共に用いる通信装置の構成を概略的に示すブロック図である。
【図２】光受信部のリミッティングポストアンプの動作を模式的に示す図である。
【図３】周波数帯域の調整処理の一例を示すフローチャートである。
【図４】調整対象のチャンネルにおける周波数帯域の調整方法を示す図である。
【図５】振幅値の調整処理の一例を示すフローチャートである。
【図６】調整対象のチャンネルにおける振幅値の調整方法を示す図である。
【図７】振幅値の調整処理の工程を示す図である。
【図８】変形例１に係る光送受信器及びこの光送受信器と共に用いる通信装置の構成を概略的に示すブロック図である。
【図９】光送受信器及びこの光送受信器と共に用いる通信装置の構成を概略的に示すブロック図である。
【発明を実施するための形態】
【００１０】
以下、本発明の実施の形態を図に基づいて説明する。
実施の形態．
図１は、本発明の実施の形態に係る光送受信器１及びこの光送受信器１と共に用いる通信装置１１の構成を概略的に示すブロック図である。
【００１１】
光送受信器１は、光送信部２と、光受信部３と、波形制御部としてのマイコン部４と、コネクタとしてのカードエッジプラグ部５と、波長多重分離部１０とを有する。
【００１２】
通信装置１１は、少なくとも１つのプラグインコネクタ部１２と、回線終端部１３とを有する。図１に示される例では、通信装置１１は、複数のプラグインコネクタ部１２を有する。通信装置１１は、例えば、ＯＬＴ（Ｏｐｔｉｃａｌ  Ｌｉｎｅ  Ｔｅｒｍｉｎａｌ）又はＯＮＵ（Ｏｐｔｉｃａｌ  Ｎｅｔｗｏｒｋ  Ｕｎｉｔ）である。
【００１３】
回線終端部１３は、例えば、ＣＰＵ（Ｃｅｎｔｒａｌ  Ｐｒｏｃｅｓｓｉｎｇ  Ｕｎｉｔ）又はＦＰＧＡ（Ｆｉｅｌｄ−Ｐｒｏｇｒａｍｍａｂｌｅ  Ｇａｔｅ  Ａｒｒａｙ）を有する。これにより、回線終端部１３は、種々の演算、並びに信号の送信及び受信を行うことができる。
【００１４】
回線終端部１３は、上位ネットワーク又は下位ネットワークから受信した信号を、プラグインコネクタ部１２を通して光送受信器１（具体的には、光送信部２）に転送し、プラグインコネクタ部１２を通して光送受信器１（具体的には、光受信部３）から受信した信号を上位ネットワーク又は下位ネットワークに転送する。
【００１５】
さらに、回線終端部１３は、光送受信器１から受信した信号（具体的には、電気信号）の信号品質を監視し、その電気信号に含まれるデータの品質を示す品質情報を光送受信器１（本実施の形態では、マイコン部４）に送信する。
【００１６】
データの品質を示す品質情報は、そのデータのエラー検出数を示すエラー検出カウント及びそのデータのエラー検出訂正数を示すエラー訂正カウントの少なくとも一方である。本実施の形態では、回線終端部１３から送信される品質情報としてエラー訂正カウントを用いる。
【００１７】
光送受信器１は、プラグイン式の光送受信器であり、通信装置１１のプラグインコネクタ部１２に接続される。具体的には、光送受信器１のカードエッジプラグ部５が通信装置１１のプラグインコネクタ部１２に挿入される。これにより、光送受信器１が通信装置１１と電気的に接続される。
【００１８】
通信装置１１には、プラグインコネクタ部１２の数と同じ数の光送受信器１を挿入することができる。図１に示される例では、通信装置１１の各プラグインコネクタ部１２に光送受信器１が挿入されている。したがって、通信装置１１には、プラグインコネクタ部１２の数に応じて複数の光送受信器１を挿入することができる。
【００１９】
図１に示される例では、第１から第Ｎの光送受信器１（Ｎは２以上の整数）が通信装置１１と電気的に接続されている。
【００２０】
波長多重分離部１０は、光信号の多重化及び分離化を行うための光部品である。
【００２１】
光送信部２は、電気信号を光信号に変換する光モジュールなどの光部品を有する。光送信部２は、通信装置１１の回線終端部１３を通して上位ネットワーク又は下位ネットワークから受信した電気信号を光信号に変換し、その光信号を波長多重分離部１０に向けて出力する。
【００２２】
光受信部３は、受光素子６と、トランスインピーダンスアンプ７と、リミッティングポストアンプ８と、エンファシス制御部９とを有する。光受信部３は、波長多重分離部１０を通して光信号を受信し、その光信号を電気信号に変換し、その電気信号の波形の補正を行い、補正された電気信号を通信装置１１（具体的には、回線終端部１３）に向けて出力する。
【００２３】
受光素子６は、例えば、フォトダイオード又はアバランシェフォトダイオードである。受光素子６は、波長多重分離部１０から出力された光信号である光を電気信号である電流に変換し、その電気信号をトランスインピーダンスアンプ７に向けて出力する。
【００２４】
トランスインピーダンスアンプ７は、受光素子６から出力された電気信号である電流を電圧に変換し、その電気信号を増幅する。
【００２５】
リミッティングポストアンプ８は、トランスインピーダンスアンプ７から出力された電気信号をさらに増幅する。リミッティングポストアンプ８は、電気信号の波形劣化を補正するエンファシス機能部８ａを有する。エンファシス機能部８ａはマイコン部４から受信した情報（例えば、後述する制御パラメータであるデジタルデータ）を格納する設定メモリを有する。
【００２６】
リミッティングポストアンプ８は、エンファシス機能部８ａにおいて補正された電気信号を通信装置１１の回線終端部１３に向けて出力する。これにより、光送受信器１に入力された光信号が、光送受信器１で電気信号に変換され、その電気信号（すなわち、補正された電気信号）が通信装置１１の回線終端部１３に入力される。以下、光送受信器１で光信号から電気信号に変換された信号を入力信号という。
【００２７】
回線終端部１３に入力された入力信号は、上位ネットワーク又は下位ネットワークに向けて出力される。
【００２８】
図２は、光受信部３のリミッティングポストアンプ８の動作を模式的に示す図である。
リミッティングポストアンプ８は、エンファシス機能部８ａを有する。エンファシス機能部８ａは、カードエッジプラグ部５から回線終端部１３で発生する信号波形劣化（すなわち、入力信号の波形劣化）を補正するため、電気信号を調整する。エンファシス機能部８ａでは、信号波形劣化の補正として、波形劣化を相殺する補正が行われる。
【００２９】
エンファシス制御部９は、マイコン部４から受信したデジタルデータ（すなわち、入力信号の補正を行うための制御パラメータ）をアナログデータ（例えば、電圧又は電流）に変換する。そのアナログデータは、入力信号の補正を行うための制御パラメータとしてリミッティングポストアンプ８のエンファシス機能部８ａに供給される。
【００３０】
例えば、エンファシス機能部８ａは、エンファシス制御部９から受信したアナログデータに基づいて連続的に補正の強度を制御する。信号波形劣化の補正の他の方法として、設定メモリに書き込まれたデジタルデータを用いて補正の強度を制御してもよい。
【００３１】
マイコン部４は、リミッティングポストアンプ８のエンファシス機能部８ａで用いられる制御パラメータを生成する。さらに、マイコン部４は、光送信部２及び光受信部３の動作状態を示す電源電圧、光送信部２からの光出力レベル、光受信部３への光入力レベル、及び光送受信器１内の温度などを定常的に監視し、監視結果などの情報をシリアル通信により通信装置１１に向けて出力する。
【００３２】
マイコン部４は、本実施の形態では、ＣＰＵなどのプロセッサ及びメモリなどを有するマイクロコンピュータである。マイコン部４の機能は、プログラムによって実現することができる。このプログラムは、コンピュータ読み取り可能な記録媒体に格納することができる。
【００３３】
カードエッジプラグ部５は、通信装置１１のプラグインコネクタ部１２に接続される。これにより、光送受信器１が通信装置１１と電気的に接続される。
【００３４】
〈周波数帯域の調整処理〉
図１に示されるように、通信装置１１では、複数の光送受信器１が１つの回線終端部１３に電気的に接続されるので、各光送受信器１から回線終端部１３までの配線パターンのパターン長が、光送受信器１ごとに異なる場合がある。例えば、複数のプラグインコネクタ部１２の内の第１のプラグインコネクタ部１２から回線終端部１３までのパターン長が、第１のプラグインコネクタ部１２に隣接する第２のプラグインコネクタ部１２から回線終端部１３までのパターン長よりも長い場合がある。パターン長の差などによってインピーダンスの不整合が発生すると、信号の反射により入力信号の波形にリンギングなどの波形歪が発生する。波形歪は、信号パターンからの不要輻射の発生源となり、信号干渉の原因となる。
【００３５】
そこで、通信装置１１では、回線終端部１３が各光送受信器１の入力信号の信号品質を監視し、入力信号に含まれるデータの品質を示す品質情報を各光送受信器１に送信する。各光送受信器１において、光受信部３は、入力信号に含まれるデータの品質を示す品質情報に基づく制御パラメータ（第１の制御パラメータ）を用いて光受信部３における周波数帯域（すなわち、光送受信器１によって伝送可能な周波数の範囲）を調整する。
【００３６】
具体的には、通信装置１１の回線終端部１３から送信された品質情報はマイコン部４に入力される。例えば、回線終端部１３は、マイコン部４の空きメモリアドレスを用いて品質情報をマイコン部４内のメモリに書き込む。マイコン部４は、回線終端部１３から受信した品質情報に基づく制御パラメータを生成する。
【００３７】
マイコン部４によって生成される制御パラメータ（第１の制御パラメータ）は入力信号の周波数の最小値（すなわち、図３に示される周波数帯域の調整処理によって設定される周波数の最小値）を示す。
【００３８】
マイコン部４によって生成された制御パラメータは、エンファシス制御部９に入力される。エンファシス制御部９は、その制御パラメータをリミッティングポストアンプ８のエンファシス機能部８ａに送信する。
【００３９】
エンファシス機能部８ａは、エンファシス制御部９から受信した制御パラメータを用いて入力信号の波形を調整する。言い換えると、エンファシス機能部８ａは、エンファシス制御部９から受信した制御パラメータに従って、入力信号の補正の強度を変化させる。例えば、エンファシス機能部８ａは、リミッティングポストアンプ８における周波数帯域を狭くするか又は高周波数帯域の透過量が多くなるように周波数帯域を広げることにより、入力信号の波形を最適化する。これにより、入力信号の波形劣化が補正され、入力信号の波形劣化を改善することができる。その結果、干渉の影響を低減することができる。
【００４０】
次に、通信装置１１における信号調整方法の１つである周波数帯域の調整処理について説明する。
図３は、周波数帯域の調整処理の一例を示すフローチャートである。
【００４１】
本実施の形態では、振幅値設定は８ビット、周波数帯域の調整を行うチャンネルＣＨｍの数ｎは６、且つ各チャンネルＣＨｍ（ｍ＝１，２，…，６）における入力信号の振幅値Ｖの範囲は最小値Ｖ（０）から最大値Ｖ（２５５）までとする。
【００４２】
ステップＳ１１では、マイコン部４は、周波数帯域の調整を行うチャンネルＣＨｍ（ｍは１以上の整数）の範囲を設定する。チャンネルＣＨｍは、各光送受信器１に対応する。すなわち、チャンネルＣＨ１は、第１の光送受信器１に対応し、チャンネルＣＨ２は、第２の光送受信器１に対応する。本実施の形態では、周波数帯域の調整を行うチャンネルＣＨｍの数ｎを６に設定する。すなわち、第１から第６の光送受信器１において周波数帯域の調整が行われる。
【００４３】
さらに、マイコン部４は、各チャンネルにおける入力信号の振幅値を最大値Ｖ（ｍａｘ）、すなわちＶ（２５５）に設定し、入力信号の周波数ｆのスイープの初期値を最小値ｆ（ｍｉｎ）に設定する。スイープの初期値を最小値ｆ（ｍｉｎ）に設定することにより、周波数帯域の影響のみを把握することができる。
【００４４】
ステップＳ１２では、マイコン部４は、調整対象のチャンネルＣＨｍについて、ｍ＝１に設定する。すなわち、最初にチャンネルＣＨ１の周波数帯域の調整を行う。
【００４５】
ステップＳ１３では、マイコン部４は、モニタ用に振幅値を、振幅値Ｖ（２５５）から振幅値Ｖ（ａｄｊ）まで小さくする（０＜ａｄｊ＜２５５）。エラー訂正カウントのモニタ値が２バイトのデータであるとき、エラー訂正カウントは、６５０００程度が最大であるため、その最大値の約半分である３２０００カウント程度を目安として振幅値Ｖ（ａｄｊ）を設定する。エラー訂正カウントの更新周期は、システムごとに任意である。振幅値Ｖを、エラーが出やすい値に一時的に設定することで、周波数帯域の最適値を探索しやすくすることができる。
【００４６】
ステップＳ１４では、マイコン部４は、調整対象のチャンネルＣＨｍについて一定の速度で入力信号の波形、すなわち、入力信号の周波数ｆを変化させながらエラー訂正カウントを取得する。
図４は、調整対象のチャンネルＣＨｍにおける周波数帯域の調整方法を示す図である。具体的には、図４は、周波数ｆとエラー訂正カウントとの関係を示す図である。
【００４７】
具体的には、図４に示されるように、マイコン部４は、最小値ｆ（ｍｉｎ）から最大値ｆ（ｍａｘ）まで一定の速度で周波数ｆを変化させ、エラー訂正カウントが最も小さい周波数ｆを探索する。スイープ（すなわち、周波数ｆの制御）を行うための制御値は、アナログ値でもデジタル値でもどちらでもよい。最小値ｆ（ｍｉｎ）及び最大値ｆ（ｍａｘ）は、予め定められた初期状態の周波数帯域である。図４には、周波数帯域の探索の４つの例（すなわち、例ａ１，例ａ２，例ａ３，及び例ａ４）が示されている。
【００４８】
ステップＳ１５では、マイコン部４は、ｆ（ｍｉｎ）からｆ（ｍａｘ）まででエラー訂正カウントの変化について判定する。
【００４９】
ステップＳ１６では、マイコン部４は、ステップＳ１５での判定結果、すなわち、エラー訂正カウントの変化に基づいて光送受信器１（具体的には、光受信部３）における周波数帯域を調整するための制御パラメータを生成する。具体的には、マイコン部４は、エラー訂正カウントが小さくなるように入力信号の周波数の最小値を変化させ、周波数帯域を調整するための制御パラメータを生成する。
【００５０】
例ａ１では、ｆ（ｍｉｎ）からｆ（ｍａｘ）でエラー訂正カウントに変化がない。この場合（ステップＳ１５においてＹＥＳ）、マイコン部４は、調整対象であるチャンネルＣＨｍにおける周波数の最小値をｆ（ｍｉｎ）に設定し、周波数帯域をｆ（ｍｉｎ）からｆ（ｍａｘ）に調整するための制御パラメータを生成する（ステップＳ１６）。
【００５１】
例ａ２では、周波数がｆ（ｍｉｎ）からｆ（ｍａｘ）に変化するに従ってエラー訂正カウントが増加する。この場合（ステップＳ１５においてＹＥＳ）、マイコン部４は、調整対象であるチャンネルＣＨｍにおける周波数の最小値をエラー訂正カウントが最小であるｆ（ｍｉｎ）に設定し、周波数帯域をｆ（ｍｉｎ）からｆ（ｍａｘ）に調整するための制御パラメータを生成する（ステップＳ１６）。
【００５２】
例ａ３では、ｆ（ｍｉｎ）からｆ（ｍａｘ）でエラー訂正カウントが一時的に減少しており、周波数帯域がｆ（１）からｆ（ｍａｘ）までのとき、エラー訂正カウントが最小である。この場合（ステップＳ１５においてＮＯ）、マイコン部４は、調整対象であるチャンネルＣＨｍにおける周波数の最小値を、エラー訂正カウントが最小である周波数の内の最も周波数が小さいｆ（１）に設定し、周波数帯域をｆ（１）からｆ（ｍａｘ）に調整するための制御パラメータを生成する（ステップＳ１７）。
【００５３】
例ａ４では、ｆ（ｍｉｎ）からｆ（ｍａｘ）でエラー訂正カウントが一時的に減少しており、周波数がｆ（２）のとき、エラー訂正カウントが最小である。この場合（ステップＳ１５においてＮＯ）、マイコン部４は、調整対象であるチャンネルＣＨｍにおける周波数の最小値を、エラー訂正カウントが最小である周波数の内の最も周波数が小さいｆ（２）に設定し、周波数帯域をｆ（２）からｆ（ｍａｘ）に調整するための制御パラメータを生成する（ステップＳ１７）。
【００５４】
ステップＳ１４からステップＳ１７の処理を行うことにより、チャンネルＣＨｍにおける周波数帯域の調整（すなわち、制御パラメータの生成）が完了する。マイコン部４は、制御パラメータをエンファシス制御部９に送信する。
【００５５】
ステップＳ１８では、マイコン部４は、調整対象のチャンネルＣＨｍを変更する。具体的には、マイコン部４は、調整対象のチャンネルＣＨｍのインクリメント（すなわち、ｍ＝ｍ＋１）を行う。
【００５６】
ステップＳ１９では、マイコン部４は、ステップＳ１４からステップＳ１７で周波数帯域の調整を行った調整対象のチャンネルの振幅値（すなわち、モニタ用の振幅値）を以前の振幅値に戻す。具体的には、マイコン部４は、モニタ用の振幅値を振幅値Ｖ（ａｄｊ）からＶ（ｍａｘ）に戻す。
【００５７】
ステップＳ２０では、マイコン部４は、全ての調整対象のチャンネルＣＨｍの周波数帯域の調整が完了したか判定する。具体的には、マイコン部４は、条件（すなわち、ｍ＝ｎ）を満たすか判定する。
【００５８】
条件（すなわち、ｍ＝ｎ）を満たすとき（ステップＳ２０においてＹＥＳ）、図３に示される周波数帯域の調整処理が完了する。
【００５９】
条件（すなわち、ｍ＝ｎ）を満たさないとき（ステップＳ２０においてＮＯ）、処理はステップＳ１３に戻り、ステップＳ１８で更新された値ｍに対応するチャンネルＣＨｍについて、周波数帯域の調整を行う。
【００６０】
以上に説明したように、周波数帯域の調整を行うことにより、入力信号の波形劣化が改善され、信号干渉を低減することができる。これにより、入力信号に含まれるデータの品質を改善することができる。
【００６１】
〈振幅値の調整〉
図１に示されるように、通信装置１１に複数の光送受信器１が接続される場合、各光送受信器１における信号の受信条件又は受信状況によって通信装置１１に入力された複数の入力信号が互いに干渉し合うことがある。この場合、通信装置１１における受信感度の劣化（すなわち、ポート間干渉）が発生する可能性がある。このような受信感度の劣化が発生すると、プラグインコネクタ部１２から回線終端部１３までの信号パターンによっては突発的な受信エラーが発生する可能性がある。
【００６２】
さらに、図１に示されるように、通信装置１１では、複数の光送受信器１が１つの回線終端部１３に電気的に接続されるので、各光送受信器１に電気的に接続されるパターン長が、光送受信器１ごとに異なる場合がある。例えば、複数のプラグインコネクタ部１２の内の第１のプラグインコネクタ部１２から回線終端部１３までのパターン長が、第１のプラグインコネクタ部１２に隣接する第２のプラグインコネクタ部１２から回線終端部１３までのパターン長よりも長い場合がある。この場合、回線終端部１３の入力端子付近では、第１の光送受信器１の入力信号と第２の光送受信器１の入力信号との間の振幅値の差が発生し、第１の光送受信器１から回線終端部１３に入力される信号と第２の光送受信器１から回線終端部１３に入力される信号とが干渉し合う可能性がある。
【００６３】
上述のような通信装置１１における信号間の干渉を低減するため、本実施の形態では、回線終端部１３が各光送受信器１の入力信号の信号品質を監視し、入力信号に含まれるデータの品質を示す品質情報を各光送受信器１に送信する。各光送受信器１において、光受信部３は、入力信号に含まれるデータの品質を示す品質情報に基づく制御パラメータ（第２の制御パラメータ）を用いて入力信号の振幅値（具体的には、振幅値の最大値）を調整する。
【００６４】
具体的には、通信装置１１の回線終端部１３から送信された品質情報はマイコン部４に入力される。マイコン部４は、回線終端部１３から受信した品質情報に基づく制御パラメータを生成する。
【００６５】
マイコン部４によって生成される制御パラメータ（第２の制御パラメータ）は入力信号の振幅値の最大値（すなわち、図５に示される振幅値の調整処理によって設定される振幅値の最大値）を示す。
【００６６】
マイコン部４によって生成された制御パラメータは、エンファシス制御部９に入力される。エンファシス制御部９は、その制御パラメータをリミッティングポストアンプ８のエンファシス機能部８ａに送信する。
【００６７】
エンファシス機能部８ａは、エンファシス制御部９から受信した制御パラメータを用いて入力信号の波形を調整する。言い換えると、エンファシス機能部８ａは、エンファシス制御部９から受信した制御パラメータに従って、入力信号の補正の強度を変化させる。例えば、エンファシス機能部８ａは、入力信号の振幅値の最大値を変更することにより、入力信号の波形を最適化する。例えば、複数の光送受信器１の内の第１の光送受信器１に入力される光信号レベルが大きく、且つ複数の光送受信器１の内の第２の光送受信器１に入力される光信号レベルが小さい場合、第１の光送受信器１の入力信号の振幅値の最大値を小さくする。これにより、入力信号の波形劣化が補正され、入力信号の波形劣化を改善することができる。その結果、干渉の影響を低減することができる。
【００６８】
次に、通信装置１１における信号調整方法の１つである振幅値の調整処理について説明する。
図５は、振幅値の調整処理の一例を示すフローチャートである。
【００６９】
振幅値の調整処理では、図３に示される周波数帯域の調整処理によって設定された周波数帯域を用いる。
【００７０】
ステップＳ２１では、マイコン部４は、振幅値の調整を行うチャンネルＣＨｍ（ｍは１以上の整数）の範囲を設定する。本実施の形態では、振幅値の調整を行うチャンネルＣＨｍの数ｎを６に設定する。すなわち、第１から第６の光送受信器１において振幅値の調整が行われる。さらに、マイコン部４は、各チャンネルＣＨｍの周波数帯域を、図３に示される周波数帯域の調整処理で設定された周波数帯域に設定し、各チャンネルＣＨｍにおける振幅値のスイープの初期値としての振幅値Ｖ１を最大値Ｖ（ｍａｘ）、すなわちＶ（２５５）に設定する。振幅値Ｖ（ｍｉｎ）は、各光送受信器１において予め定められた振幅値の最小値Ｖ（０）である。
【００７１】
ステップＳ２２では、マイコン部４は、モニタ対象のチャンネルＣＨｍを設定する。振幅値調整１回目では、マイコン部４は、モニタ対象のチャンネルＣＨｍについて、ｍ＝１に設定する。モニタ対象のチャンネルＣＨｍは、他のチャンネルの振幅値を設定するときに、エラー訂正カウントのモニタリングを行うためのチャンネルである。
【００７２】
ステップＳ２３では、マイコン部４は、モニタ対象のチャンネルＣＨｍの振幅値をＶ（ａｄｊ）に設定する。エラーカウント又はエラー訂正カウントのモニタ値が２バイトのデータであるとき、エラーカウント又はエラー訂正カウントは、６５０００程度が最大であるため、その最大値の約半分である３２０００カウント程度を目安として振幅値Ｖ（ａｄｊ）を設定する。エラーカウント又はエラー訂正カウントの更新周期は、システムごとに任意である。振幅値Ｖ（ａｄｊ）を、エラーが出やすい値に一時的に設定することで、振幅値の最適値を探索しやすくすることができる。
【００７３】
ステップＳ２４では、マイコン部４は、振幅値の調整を行うチャンネルの順序を設定する。ステップＳ２４で設定されるチャンネルは、ステップＳ２２で設定されたモニタ対象のチャンネルＣＨｍ以外のチャンネルである。本実施の形態では、モニタ対象のチャンネルＣＨｍに隣接し、且つステップＳ２１で設定されたチャンネルの範囲のうち最も小さい番号であるチャンネルが優先的に選択される。例えば、モニタ対象のチャンネルがチャンネルＣＨ１のとき、振幅値の調整を行うチャンネルはチャンネル２に設定される。ただし、チャンネルの選択方法はこれに限られない。
【００７４】
ステップＳ２５では、マイコン部４は、ステップＳ２４で設定された調整対象のチャンネルについて一定の速度で入力信号の波形、すなわち、振幅値Ｖを変化させながらエラー訂正カウントを取得する。
図６は、調整対象のチャンネルにおける振幅値の調整方法を示す図である。具体的には、図６は、振幅値Ｖとエラー訂正カウントとの関係を示す図である。
【００７５】
図６に示されるように、マイコン部４は、モニタ対象のチャンネルのエラー訂正カウントを監視しながら、調整対象のチャンネルにおける振幅値のスイープを、スイープの起点であるＶ（ｍａｘ）からＶ（ｍｉｎ）まで行う。振幅値調整１回目では、Ｖ１＝Ｖ（ｍａｘ）＝Ｖ（２５５）である。スイープ（すなわち、振幅値Ｖの制御）を行うための制御値は、アナログ値でもデジタル値でもどちらでもよい。
【００７６】
図６には、振幅値Ｖの探索の４つの例（すなわち、例ｂ１，例ｂ２，例ｂ３，及び例ｂ４）が示されている。
【００７７】
ステップＳ２６では、マイコン部４は、Ｖ（ｍａｘ）からＶ（ｍｉｎ）まででエラー訂正カウントの変化について判定する。
【００７８】
ステップＳ２７では、マイコン部４は、ステップＳ２６での判定結果、すなわち、エラー訂正カウントの変化に基づいて振幅値の設定を行う。具体的には、マイコン部４は、エラー訂正カウントが小さくなるように入力信号の振幅値の最大値を調整するための制御パラメータを生成する。
【００７９】
例ｂ１では、Ｖ（ｍａｘ）からＶ（ｍｉｎ）でエラー訂正カウントに変化がない。この場合（ステップＳ２６においてＹＥＳ）、マイコン部４は、調整対象であるチャンネルにおける振幅値Ｖ２を最大値Ｖ（ｍａｘ）に設定し、振幅値の最大値をＶ（ｍａｘ）に調整するための制御パラメータを生成する（ステップＳ２７）。
【００８０】
例ｂ２では、振幅値がＶ（ｍａｘ）からＶ（ｍｉｎ）に変化するに従ってエラー訂正カウントが増加する。この場合（ステップＳ２６においてＹＥＳ）、マイコン部４は、調整対象であるチャンネルにおける振幅値Ｖ２を最大値Ｖ（ｍａｘ）に設定し、振幅値の最大値をＶ（ｍａｘ）に調整するための制御パラメータを生成する（ステップＳ２７）。
【００８１】
例ｂ３では、Ｖ（ｍａｘ）からＶ（ｍｉｎ）でエラー訂正カウントが一時的に減少しており、振幅値Ｖ（１）のとき、エラー訂正カウントが最小である。この場合（ステップＳ２６においてＮＯ）、マイコン部４は、調整対象であるチャンネルにおける振幅値Ｖ２を、エラー訂正カウントが最小である振幅値の内の最も振幅値が大きいＶ（１）に設定し、振幅値の最大値をＶ（１）に調整するための制御パラメータを生成する（ステップＳ２８）。
【００８２】
例ｂ４では、Ｖ（ｍａｘ）からＶ（ｍｉｎ）でエラー訂正カウントが一時的に減少しており、振幅値がｆ（２）からＶ（ｍｉｎ）までのとき、エラー訂正カウントが最小である。この場合（ステップＳ２６においてＮＯ）、マイコン部４は、調整対象であるチャンネルにおける振幅値Ｖ２を、エラー訂正カウントが最小である振幅値の内の最も振幅値が大きいＶ（２）に設定し、振幅値の最大値をＶ（２）に調整するための制御パラメータを生成する（ステップＳ２８）。
【００８３】
ステップＳ２９では、マイコン部４は、モニタ対象のチャンネル以外の全ての調整対象のチャンネルの振幅値の調整が完了したか判定する。例えば、モニタ対象のチャンネルがチャンネルＣＨ１のとき、チャンネルＣＨ２からＣＨ６の振幅値の調整が完了したか判定する。
【００８４】
モニタ対象のチャンネル以外の全ての調整対象のチャンネルの振幅値の調整が完了した場合（ステップＳ２９においてＹＥＳ）、処理はステップＳ３０に移行する。
【００８５】
モニタ対象のチャンネル以外の全ての調整対象のチャンネルの振幅値の調整が完了していない場合（ステップＳ２９においてＮＯ）、処理はステップＳ２４に戻り、次の調整対象のチャンネルの振幅値の調整を行う。例えば、チャンネルＣＨ２の振幅値の調整が完了している場合、次のチャンネルＣＨ３の振幅値の調整を行う。
【００８６】
ステップＳ３０では、マイコン部４は、モニタ対象のチャンネルＣＨｍのインクリメント（すなわち、ｍ＝ｍ＋１）を行う。例えば、モニタ対象のチャンネルがチャンネルＣＨ１のとき、マイコン部４は、チャンネルＣＨ２をモニタ対象のチャンネルとして設定する。
【００８７】
ステップＳ３１では、マイコン部４は、条件（すなわち、ｍ＝ｎ）を満たすか判定する。
【００８８】
条件（すなわち、ｍ＝ｎ）を満たすとき（ステップＳ３１においてＹＥＳ）、図５に示される振幅値の調整処理が完了する。マイコン部４は、制御パラメータをエンファシス制御部９に送信する。
【００８９】
条件（すなわち、ｍ＝ｎ）を満たさないとき（ステップＳ３１においてＮＯ）、処理はステップＳ２３に戻り、ステップＳ３０で更新された値ｍに対応するチャンネルＣＨｍ以外のチャンネルについて、振幅値の調整を行う。
【００９０】
２回目以降の振幅値の調整では、ステップＳ２３で設定される各チャンネルＣＨｍにおける振幅値のスイープの初期値としての振幅値Ｖ１を、前回の振幅値の調整処理（すなわち、ステップＳ２５からＳ２８）で設定された振幅値Ｖ２と同じ値に設定する。例えば、１回目の振幅値の調整（例えば、モニタ対象のチャンネルがチャンネルＣＨ１のときの処理）において、チャンネルＣＨ３の振幅値の最大値がＶ（２５５）からＶ（２３５）に変更された場合、２回目の振幅値の調整では、ステップＳ２３で設定されるチャンネルＣＨ３における振幅値のスイープの初期値としての振幅値Ｖ１を、前回の振幅値の調整処理（すなわち、ステップＳ２５からＳ２８）で設定された振幅値Ｖ（２３５）に設定する。
【００９１】
図７は、振幅値の調整処理の工程を示す図である。
図７に示されるように、本実施の形態では、６回の振幅値の調整処理（すなわち、６回のステップＳ２３からＳ３１までの処理）を行うことにより、全ての調整対象のチャンネルの振幅値の調整が完了する。その結果、各チャンネルＣＨｍにおいて、エラー訂正カウントが小さくなるように調整された振幅値の最大値Ｖ３が得られる。
【００９２】
以上に説明したように、振幅値の調整を行うことにより、入力信号の波形劣化が改善され、信号干渉を低減することができる。これにより、入力信号に含まれるデータの品質をさらに改善することができる。
【００９３】
上述の周波数帯域の調整及び振幅値の調整では、品質情報としてエラー訂正カウントを用いたが、エラー訂正カウントの代わりにエラー検出カウントを用いてもよい。
【００９４】
以上に説明したように、周波数帯域の調整及び振幅値の調整を行うことにより、複数の光送受信器１を通信装置１１に接続したときに生じる信号の干渉を低減することができる。さらに、複数の光送受信器１の間における特性（例えば、信号受信条件又は受信状況）の違いによって生じる通信装置１１における受信感度の劣化を低減することができる。
【００９５】
変形例１．
図８は、変形例１に係る光送受信器１ａ及びこの光送受信器１ａと共に用いる通信装置１１の構成を概略的に示すブロック図である。
変形例１に係る光送受信器１ａは、マイコン部４を有していない点で、上述の実施の形態に係る光送受信器１と異なる。上述の実施の形態に係る光送受信器１のマイコン部４によって実行された処理は、変形例１に係る光送受信器１ａの光受信部３（例えば、エンファシス制御部９又はエンファシス機能部８ａ）又は通信装置１１の回線終端部１３が実行する。
【００９６】
例えば、エンファシス制御部９及びエンファシス機能部８ａは、通信装置１１の回線終端部１３から受信した品質情報に基づく制御パラメータを生成することができる。
【００９７】
一方、回線終端部１３が品質情報に基づく制御パラメータを生成する場合、回線終端部１３が上述の品質情報に基づく制御パラメータを生成し、回線終端部１３は、その制御パラメータをエンファシス制御部９又はエンファシス機能部８ａに送信する。例えば、回線終端部１３が制御パラメータをエンファシス機能部８ａに送信する場合、回線終端部１３は、エンファシス機能部８ａ内の設定メモリに制御パラメータを書き込む。エンファシス機能部８ａは、エンファシス制御部９又は回線終端部１３から受信した制御パラメータに従って、入力信号の補正の強度を変化させる。
【００９８】
これにより、変形例１に係る光送受信器１ａ及びこの光送受信器１ａと共に用いる通信装置１１は、実施の形態で説明した効果と同じ効果を実現することができる。
【００９９】
変形例２．
図９は、光送受信器１及びこの光送受信器１と共に用いる通信装置１１の構成を概略的に示すブロック図である。
通信装置１１には１つの光送受信器１が接続されている。図９に示される例では、上述の実施の形態と同様に、光送受信器１において、光受信部３は、入力信号に含まれるデータの品質を示す品質情報に基づく制御パラメータ（第１の制御パラメータ）を用いて光受信部３における周波数帯域を調整することができる。
【０１００】
図９に示される例では、光送受信器１はマイコン部４を有するが、変形例１で説明したように、光送受信器１はマイコン部４を有していなくてもよい。この場合、変形例１で説明したように、上述の実施の形態に係る光送受信器１のマイコン部４によって実行された処理は、光受信部３（例えば、エンファシス制御部９又はエンファシス機能部８ａ）又は通信装置１１の回線終端部１３が実行する。
【０１０１】
これにより、光送受信器１及びこの光送受信器１と共に用いる通信装置１１は、実施の形態で説明した効果、すなわち、周波数帯域の調整を行うことによって得られる効果と同じ効果を実現することができる。
【０１０２】
以上に説明した実施の形態における特徴及び各変形例における特徴は、互いに適宜組み合わせることができる。
【符号の説明】
【０１０３】
１，１ａ  光送受信器、  ２  光送信部、  ３  光受信部、  ４  マイコン部、  ５  カードエッジプラグ部（コネクタ）、  ６  受光素子、  ７  トランスインピーダンスアンプ、  ８  リミッティングポストアンプ、  ９  エンファシス制御部、  １０  波長多重分離部、  １１  通信装置、  １２  プラグインコネクタ部、  １３  回線終端部。
【図１】
2018170652.tif 000003
【図２】
2018170652.tif 000004
【図３】
2018170652.tif 000005
【図４】
2018170652.tif 000006
【図５】
2018170652.tif 000007
【図６】
2018170652.tif 000008
【図７】
2018170652.tif 000009
【図８】
2018170652.tif 000010
【図９】
2018170652.tif 000011